(57)【要約】【課題】本発明は、コンピュータに接続されている一般的な表示装置をネットワーク投影装置と仮想できることで、ネットワークを介して複数の投影源からの投影内容を同一スクリーンに同時表示し、或は切り替え表示することに便利となるネットワーク投影システム及び方法を開示している。【解決手段】ネットワーク投影システムであって、ネットワークに仮想のネットワーク投影装置情報を広告し、ネットワーク投影源の投影要求を受信するための広告手段と、少なくとも１つのネットワーク投影源から投影用のデータを受信するための投影データ受信手段と、ユーザの必要を満たすように、少なくとも１つのネットワーク投影源から受信したデータを処理するための処理手段と、接続された表示装置に処理した投影データを表示させるか、又はネットワークを介して処理した投影データを他のネットワーク投影装置へ送信するための投影データ表示手段と、を備えている。【選択図】図２
2008233912.tif 000002
【特許請求の範囲】
【請求項１】
ネットワークに仮想ネットワーク投影装置情報を広告し、ネットワーク投影源の投影要求を受信するための広告手段と、
少なくとも１つのネットワーク投影源から投影用のデータを受信するための投影データ受信手段と、
ユーザの必要を満たすように、少なくとも１つのネットワーク投影源から受信したデータを処理するための処理手段と、
接続された表示装置に処理した投影データを表示させるか、又は処理した投影データをネットワークを介して他のネットワーク投影装置へ送信するための投影データ表示手段と、
を備えていることを特徴とするネットワーク投影システム。
【請求項２】
前記投影データ受信手段が、
ＷＩＮＤＯＷＳ（登録商標）ネットワーク投影装置用の投影データを受信するためのＲＤＰ受信モジュール、及び／又は
ＩＧＲＳ（Intelligent Grouping and Resource Sharing）ネットワーク投影装置用の投影データを受信するためのＭＤＰ受信モジュール、
を備えていることを特徴とする請求項１に記載のネットワーク投影システム。
【請求項３】
前記投影データ表示手段が、
ＷＩＮＤＯＷＳ（登録商標）ネットワーク投影装置用の投影データを送信するためのＲＤＰ送信モジュール、及び／又は
ＩＧＲＳネットワーク投影装置用の投影データを送信するためのＭＤＰ送信モジュール、
を備えていることを特徴とする請求項２に記載のネットワーク投影システム。
【請求項４】
前記ネットワーク投影装置情報が、ＲＤＰネットワーク投影装置広告メッセージ及び／又はＭＤＰネットワーク投影装置広告メッセージを含んでいることを特徴とする請求項１に記載のネットワーク投影システム。
【請求項５】
前記ＲＤＰネットワーク投影装置広告メッセージが、ＵＰｎＰ装置のタイプ、接続アドレス、接続ポート、サービスインタフェースを含んでいることを特徴とする請求項４に記載のネットワーク投影システム。
【請求項６】
前記ＭＤＰネットワーク投影装置広告メッセージが、ＩＧＲＳ装置のタイプ、接続アドレス、接続ポート、認証方式、問合せインタフェースを含んでいることを特徴とする請求項４に記載のネットワーク投影システム。
【請求項７】
ネットワーク上の第１の位置でネットワーク投影装置情報を広告し、ネットワーク投影源からの投影要求を受信するステップと、
第１の位置で第２の位置にある少なくとも１つのネットワーク投影源から投影用のデータを受信するステップと、
ユーザの必要を満たすように、少なくとも１つのネットワーク投影源から受信したデータを処理するステップと、
処理した投影データをネットワークを介して、接続された表示装置に表示させるか、又は他のネットワーク投影装置へ送信するステップと、
を含んでいることを特徴とするネットワーク投影方法。
【請求項８】
前記受信ステップに、
ＷＩＮＤＯＷＳ（登録商標）ネットワーク投影装置用の投影データを受信するステップ、及び／又は
ＩＧＲＳネットワーク投影装置用の投影データを受信するステップ、
を含んでいることを特徴とする請求項７に記載のネットワーク投影方法。
【請求項９】
前記送信ステップに、
ＷＩＮＤＯＷＳ（登録商標）ネットワーク投影装置用の投影データを送信するステップ、及び／又は
ＩＧＲＳネットワーク投影装置用の投影データを送信するステップ、
を含んでいることを特徴とする請求項８に記載のネットワーク投影方法。
【請求項１０】
前記ネットワーク投影装置情報が、ＲＤＰネットワーク投影装置広告メッセージ及び／又はＭＤＰネットワーク投影装置広告メッセージを含んでいることを特徴とする請求項７に記載のネットワーク投影方法。
【請求項１１】
前記ＲＤＰネットワーク投影装置広告メッセージが、ＵＰｎＰ装置のタイプ、接続アドレス、接続ポート、サービスインタフェースを含んでいることを特徴とする請求項１０に記載のネットワーク投影方法。
【請求項１２】
前記ＭＤＰネットワーク投影装置広告メッセージが、ＩＧＲＳ装置のタイプ、接続アドレス、接続ポート、認証方式、問合せインタフェースを含んでいることを特徴とする請求項１０に記載のネットワーク投影方法。
【発明の詳細な説明】
【技術分野】
【０００１】
本発明はネットワーク投影技術に関し、具体的に、１つ又は複数のクライアントに複数の投影スクリーンを現すことができる、複数の投影源を支持する仮想ネットワーク投影システム及びその方法に関する。
【背景技術】
【０００２】
投影装置は、日常執務や交流において不可欠なツールとなっている。しかし、一般的に、会議をしている時、複数のホストが前後に投影動作をする場合に、投影装置とのコネクタを挿し込んだり、取り外したりすることを繰返さなければならないので、動作効率に深刻な影響を与えるという問題がある。
【０００３】
これに対して、Ｖｉｓｔａオペレーティグシステムで支持できる新型の投影装置であるネットワーク投影装置が提案されている。このような投影装置は、無線技術により、ネットワークに接続されたコンピュータのスクリーンを、ネットワークを介し投影装置に転送して送信することで、ネットワークに一旦接続されると、挿し込んだり取り外したりすることを繰返す必要がない。
【発明の開示】
【発明が解決しようとする課題】
【０００４】
しかしながら、このネットワーク投影装置には、相変わらず使用制限がある。すなわち、ネットワーク接続機能を支持するように、ネットワーク接続を支持しない従来の一般投影装置をアップグレードし、ネットワーク通信モジュールを追加しなければならない。これによって、簡単なネットワーク接続を支持する投影装置が必ずしも会社のセキュリティプロトコルや規格を満たすとは限らないので、セキュリティにおける隠れた危険があることを招来している。さらに、このネットワーク投影装置は、現在１つのコンピュータの入力しか受けることができず、つまり、複数の投影ホストからの投影内容を同時に切り換えたり、同時に表示したりすることができない。
【０００５】
したがって、複数の投影源を支持し、且つ複数の投影源の投影内容を同一スクリーンに表示したり、複数のスクリーンの間で切り換えたりすることができる技術が必要となる。
【０００６】
本発明は、上記の問題に鑑みてなされたものであり、複数の投影源に同時に接続され、ユーザの必要に応じて、これらの投影源からの投影内容を同一のスクリーンに表示させるか、又は異なるスクリーンの間で切り換えることができる、複数の投影源を支持する仮想ネットワーク投影システム及び方法を提供することを目的とする。
【課題を解決するための手段】
【０００７】
本発明の第１の局面は、ネットワークに仮想のネットワーク投影装置情報を広告し、ネットワーク投影源の投影要求を受信するための広告手段と、少なくとも１つのネットワーク投影源から投影用のデータを受信するための投影データ受信手段と、ユーザの必要を満たすように、少なくとも１つのネットワーク投影源から受信したデータを処理するための処理手段と、接続された表示装置に処理した投影データを表示させるか、又はネットワークを介して処理した投影データを他のネットワーク投影装置へ送信するための投影データ表示手段と、を備えているネットワーク投影システムを提供する。
【０００８】
好ましくは、前記投影データ受信手段は、ＷＩＮＤＯＷＳ（登録商標）ネットワーク投影装置用の投影データを受信するためのＲＤＰ受信モジュール、及び／又は、ＩＧＲＳネットワーク投影装置用の投影データを受信するためのＭＤＰ受信モジュール、を備えている。
【０００９】
好ましくは、前記投影データ表示手段は、ＷＩＮＤＯＷＳ（登録商標）ネットワーク投影装置用の投影データを送信するためのＲＤＰ送信モジュール、及び／又は、ＩＧＲＳネットワーク投影装置用の投影データを送信するためのＭＤＰ送信モジュール、を備えている。
【００１０】
好ましくは、前記ネットワーク投影装置情報は、ＲＤＰネットワーク投影装置広告メッセージ及び／又はＭＤＰネットワーク投影装置広告メッセージを含んでいる。
【００１１】
好ましくは、前記ＲＤＰネットワーク投影装置広告メッセージは、ＵＰｎＰ装置のタイプ、接続アドレス、接続ポート、サービスインタフェースを含んでいる。
【００１２】
好ましくは、前記ＭＤＰネットワーク投影装置広告メッセージは、ＩＧＲＳ装置のタイプ、接続アドレス、接続ポート、認証方式、問合せインタフェースを含んでいる。
【００１３】
本発明のもう１つの局面は、ネットワーク上の第１の位置でネットワーク投影装置情報を広告し、ネットワーク投影源からの投影要求を受信するステップと、第１の位置で第２の位置にある少なくとも１つのネットワーク投影源から投影用のデータを受信するステップと、ユーザの必要を満たすように、少なくとも１つのネットワーク投影源から受信したデータを処理するステップと、ネットワークを介して、処理した投影データを、そのまま、接続された表示装置に表示させるか、又は他のネットワーク投影装置へ送信するステップと、を含んでいるネットワーク投影方法を提供する。
【００１４】
好ましくは、前記受信ステップに、ＷＩＮＤＯＷＳ（登録商標）ネットワーク投影装置用の投影データを受信するステップ、及び／又は、ＩＧＲＳネットワーク投影装置用の投影データを受信するステップを含んでいる。
【００１５】
好ましくは、前記送信ステップに、ＷＩＮＤＯＷＳ（登録商標）ネットワーク投影装置用の投影データを送信するステップ、及び／又は、ＩＧＲＳネットワーク投影装置用の投影データを送信するステップを含んでいる。
【００１６】
好ましくは、前記ネットワーク投影装置情報は、ＲＤＰネットワーク投影装置広告メッセージ及び／又はＭＤＰネットワーク投影装置広告メッセージを含んでいる。
【００１７】
好ましくは、前記ＲＤＰネットワーク投影装置広告メッセージは、ＵＰｎＰ装置のタイプ、接続アドレス、接続ポート、サービスインタフェースを含んでいる。
【００１８】
好ましくは、前記ＭＤＰネットワーク投影装置広告メッセージは、ＩＧＲＳ装置のタイプ、接続アドレス、接続ポート、認証方式、問合せインタフェースを含んでいる。
【発明の効果】
【００１９】
本発明の上記の構成によれば、一般的な表示・投影装置をネットワーク投影装置として仮想化できることによって、ネットワークへ便利に接続でき、複数の投影源からの投影内容を同一のスクリーンに同時に表示するか、又は切り替えて表示することが便利になる。
【発明を実施するための最良の形態】
【００２０】
以下、図面を参照して、本発明の実施例に係るシステム及び方法について詳細に説明する。
【００２１】
図１は、本発明の実施例に係るネットワーク投影システムが適用されるネットワーク環境である。
【００２２】
図１に示すように、ホスト１０は、ネットワーク６００に接続されるとともに、制御ユニット２００、ローカル表示装置３００及び仮想ネットワーク投影システム１００を備えている。制御ユニット２００は、仮想ネットワーク投影システム１００を介して、遠隔側の投影源４００から投影データを受信し、投影源４００の必要に応じて投影データをローカル表示装置３００へ送信するか、又は再度ネットワーク６００を介してネットワーク投影装置５００へ送信して、ネットワーク表示を行う。
【００２３】
図２は、本発明の実施例に係るネットワーク投影システムの構成のブロック図を示している。同図に示すように、本発明の実施例に係るネットワーク投影システム１００は、ネットワーク接続・広告モジュール１１０、ＲＤＰ受信モジュール１３０、ＭＤＰ受信モジュール１２０、画像処理・合成モジュール１４０、表示モジュール１５０、ＲＤＰ送信モジュール１６０及びＭＤＰ送信モジュール１７０を備えている。
【００２４】
ネットワーク接続・広告モジュール１１０は、システム全体のネットワーク接続を提供するものであり、外部にネットワーク投影装置情報を広告し、外部の投影装置広告情報を受信し、外部の投影要求を受信して投影データを受信し、投影要求及び投影データを送信する。
【００２５】
ネットワーク投影装置広告は、ＵＰｎＰ装置のタイプ、接続アドレス、接続ポート、サービスインタフェース等を含んでいるがこれらに限定されないＲＤＰネットワーク投影装置広告メッセージと、ＩＧＲＳ（Intelligent Grouping and Resource Sharing）装置のタイプ（タイプはＩＧＲＳ投影装置である）、接続アドレス、接続ポート、認証方式、問合せインタフェース等を含んでいるがこれらに限定されないＭＤＰネットワーク投影広告メッセージとを、含んでいる。
【００２６】
ＲＤＰ受信モジュール１３０は、ＲＤＰに基づくネットワーク投影装置受信モジュールであり、実行される時に仮想表示バッファ領域を維持し、且つＲＤＰをプロトコルとするネットワーク投影装置の受信モジュールを実現し、ネットワークから受信した投影情報を画像処理・合成モジュール１４０に維持されている１つの仮想表示バッファ領域に格納する。
【００２７】
ＭＤＰ受信モジュール１２０は、ＭＤＰに基づくネットワーク投影装置受信モジュールであり、実行される時に仮想表示バッファ領域を維持し、且つＩＧＲＳネットワーク投影装置をプロトコルとするネットワーク投影装置の受信モジュールを実現し、ネットワークから受信した投影情報を画像処理・合成モジュール１４０に維持されている他の１つの仮想表示バッファ領域に格納する。
【００２８】
画像処理・合成モジュール１４０は、異なる投影源からの投影内容に対するいくつかの仮想表示バッファ領域を維持しており、受信した表示データを仮想表示バッファ領域に切り換える。
【００２９】
また、画像処理・合成モジュール１４０は、ＲＤＰ受信モジュール１３０及びＭＤＰ受信モジュール１２０が受信した仮想表示情報を合成して処理し、合成した情報を表示モジュール１５０の合成仮想表示バッファ領域へ送信する。
【００３０】
表示モジュール１５０は、複数の合成仮想表示バッファ領域を維持し、合成仮想表示領域内の情報をユーザの入力に応じて異なる装置へ出力し、ローカル表示装置、例えばホストメインスクリーン、拡張スクリーン及びネットワーク投影装置（ＲＤＰネットワーク投影装置とＩＧＲＳネットワーク投影装置とを含む）を含んでいる。
【００３１】
ＲＤＰ送信モジュール１６０は、ＲＤＰに基づくネットワーク投影装置送信モジュールであり、実行される時に合成仮想表示バッファ領域を入力源とし、且つＲＤＰをプロトコルとするネットワーク投影装置の送信モジュールを実現し、合成仮想表示バッファ領域に格納されている表示情報をネットワーク接続・広告モジュール１１０に介してネットワーク宛先側に送信する。
【００３２】
ＭＤＰ送信モジュール１７０は、ＭＤＰに基づくネットワーク投影装置送信モジュールであり、実行される時に合成仮想表示バッファ領域を入力源とし、且つＩＧＲＳネットワーク投影装置の送信モジュールを実現し、合成仮想表示バッファ領域に格納されている表示情報をネットワーク接続・広告モジュール１１０を介してネットワーク宛先側に送信する。
【００３３】
図１に示すように、制御ユニット２００は、本実施例の仮想ネットワーク投影システム１００に接続され、ネットワーク接続・広告モジュール１１０を介してネットワーク上で表示装置がネットワーク投影装置又はＩＧＲＳネットワーク投影装置であることを広告し、現在のホスト１０の特性（マルチホームであるか否か）に従い、異なるネットワーク上でそれぞれ広告することができる。
【００３４】
ネットワークの投影源が投影要求を送信すると、制御ユニット２００は投影要求を受信した後、異なる要求方式（ＲＤＰ／ＭＤＰ）に応じて、対応する投影受信クライアントを呼び出し、ユーザの選択・設定に応じて対応する表示装置に表示する。
【００３５】
複数のＰＣ投影源が同時に接続される場合に、制御ユニット２００は対応する配列モードを提供して、ユーザに複数のクライアントのスクリーンにおける表示方法（切り換え、横方向配列及び縦方向配列等を含む）を制御させる。
【００３６】
上記のネットワーク投影装置は、ＷＩＮＤＯＷＳ（登録商標）ネットワーク投影装置又はＩＧＲＳ投影装置である。
【００３７】
図３は、図１に示すようなネットワーク投影システムの動作フローチャートを示している。同図に示すように、制御ユニット２００は、遠隔側の投影源４００及びネットワーク投影装置５００と接続を確立するようにネットワーク接続・広告モジュール１１０を制御した後、外部へネットワーク投影装置情報を広告する（Ｓ１００）。ネットワーク投影装置広告は、ＵＰｎＰ装置のタイプ、接続アドレス、接続ポート、サービスインタフェース等を含むがこれらに限定されないＲＤＰネットワーク投影装置広告メッセージと、ＩＧＲＳ装置のタイプ（タイプはＩＧＲＳ投影装置である）、接続アドレス、接続ポート、認証方式、問合せインタフェース等を含むがこれらに限定されないＭＤＰネットワーク投影広告メッセージとを、含んでいる。
【００３８】
この時遠隔地の投影源４００がネットワーク投影を行い、例えばネットワーク投影装置５００で投影する必要があれば、ホスト１０へ投影要求を送信するとともに、ホスト１０は投影源４００から送信された投影要求を受信する（Ｓ１２０）。
【００３９】
そして、ネットワーク投影装置のタイプ、例えばＷＩＮＤＯＷＳ（登録商標）ネットワーク投影装置であるか、又はＩＧＲＳ投影装置であるかに応じて、ＲＤＰ受信モジュール１３０及びＭＤＰ受信モジュールは遠隔地の投影源４００から対応する投影内容を受信し、画像処理・合成モジュール１４０に維持されているバッファ領域に送信した後、表示モジュール１５０で合成する（Ｓ１４０）。
【００４０】
次に、ネットワーク投影装置のタイプに応じて、ＲＤＰ送信モジュール１６０又はＭＤＰ送信モジュール１７０は、ネットワーク接続・広告モジュール１１０を介して、合成された投影データを遠隔側のネットワーク投影装置へ送信して投影する（Ｓ１６０）。
【００４１】
以上は、本発明における具体的な実施形態であり、本発明の保護範囲はこれに限らなく、本発明に開示された技術範囲内で、当業者が容易に想到できる変換や替換も本発明の保護範囲に含まれる。したがって、本発明の保護範囲は特許請求の保護範囲を基準とすべきである。
【図面の簡単な説明】
【００４２】
【図１】図１は、本発明の実施例に係るネットワーク投影システムが適用されるネットワーク環境である。
【図２】図２は、本発明の実施例に係るネットワーク投影システムの構成のブロック図である。
【図３】図３は、図１に示すようなネットワーク投影システムの動作フローチャートである。
【図１】
2008233912.tif 000003
【図２】
2008233912.tif 000004
【図３】
2008233912.tif 000005